(57)【要約】      （修正有）【課題】スプールに巻装される釣糸が強く引かれたときに、該釣糸が既巻装される釣糸巻に入り込む所謂糸ガミ現象の発生を低減する、釣用リールを提供する。【解決手段】スプール７に巻装される釣糸を均等に巻装するレベルワインド機構Ｌを備えた両軸リール１において、該レベルワインド機構を構成するため設けられる螺旋軸９に形成される螺旋軸９ｃの螺旋ピッチを、往路と複路とで大小異ならしめたものとして、スプールに対する釣糸１２の隣接する内外層での巻装状態を交差する構成にすることで糸ガミ現象の発生を低減する。【選択図】図１
0003234233.tif 000002
【実用新案登録請求の範囲】
【請求項１】
釣竿に取り付けられるリール本体に、回転操作されるハンドルと、該ハンドルの回転操作に連動して回転するスプールと、該スプールと連動して回転し、周面に往復の螺旋溝が形成された螺旋軸と、スプールへの釣糸の巻装を螺旋軸に案内されて左右往復移動することで行う案内体と、が設けられ、釣糸のスプールへの巻装を、ハンドル操作に伴う案内体の往路、復路の繰り返し移動で行うように構成したレベルワインド機構が設けられた釣用リールにおいて、
前記螺旋溝の往復の螺旋ピッチを、案内体による往路と複路の釣糸の巻装が粗密逆状態になるよう往路と複路とで大小異ならしめたことを特徴とする釣用リール。
【請求項２】
往路と複路との螺旋ピッチが大小異なることは、往路全体の螺旋ピッチが復路全体の螺旋ピッチに対して大小異なるものであることを特徴とする請求項１記載の釣用リール。
【請求項３】
螺旋ピッチは往路と複路とでそれぞれ複数の大小変化をするものであり、該複数の大小変化は、往路と複路とで逆の大小変化をするものであることを特徴とする請求項１記載の釣用リール。
【請求項４】
螺旋ピッチの複数の大小変化は偶数の変化であることを特徴とする請求項３記載の釣用リール。
【請求項５】
往路と複路との螺旋ピッチが大小異なることは、往路および復路全体で大小互いに逆になる方向の変化が段階状または連続状に変化するものであることを特徴とする請求項１記載の釣用リール。
【考案の詳細な説明】
【技術分野】
【０００１】
本考案は、スプールに釣糸を左右往復する状態で巻装するレベルワインド機構を備えた釣用リールの技術分野に関するものである。
【背景技術】
【０００２】
一般に、釣用リールとして、釣糸（道糸、ライン、テグス）を巻装するためのスプールを、スプール軸を軸心として回転自在に軸支すると共に、該スプールの前方に、往復移動用の螺旋溝が形成された螺旋軸（ナピア軸、トラバースカム軸）に案内されて左右に往復移動する釣糸用の案内体を配し、ハンドルを巻き操作することにより、釣糸を左右往復移動する案内体によって案内してスプールに層状に巻装できるようにした所謂レベルワインド機構を備えたものが知られている。
このようにレベルワインド機構を備えた釣用リールでは、スプールに巻装される釣糸は、案内体の往路で既巻装された糸層のうえ（表面）に、案内体の復路で新規の糸層として巻装されることが繰り返されることになる。このものにおいて、案内体の移動速度を遅くして隣接する釣糸同士が近接した密状態で巻装した場合、釣糸は、巻き姿勢がスプール軸の軸心に対して直交する縦姿勢に近い状態で巻装されることになって小型の釣用リールであっても釣糸の巻き量を長いものにして深場や遠投での釣に対応できることになる。
ところがこのようにした場合、前述したように隣接する釣糸同士が縦方向に揃った状態で巻装されているため、例えば大物が針掛かりする等して大きな負荷が急激に働いた場合、引き出し際の釣糸が強く引っ張られて既巻装された釣糸の隣接同士間に挿入（侵入）する所謂糸ガミ現象を生じることがあり、このように糸ガミ現象が生じた状態のまま次の釣をするべく釣糸を繰り出すと、前記糸ガミ部位の釣糸が引っ掛った状態となって円滑な釣糸の繰り出しが阻害されるという問題がある。
これに対し案内体の移動速度を速くした場合、釣糸は傾斜した疎状態でスプールに巻装されることになって、往路と複路とで巻装される釣糸同士は交差状となって、前述したような糸ガミ現象の発生は解消されるが、この場合、釣糸のスプールに対する巻き量が短いものになって深場や遠投での釣に対応させるためには大型の釣用リールを用いなければならないという問題がある。
ところで従来、螺旋軸による案内体の往復移動速度を変化させるようにしたものが提唱されている（例えば、特許文献１参照）。
【先行技術文献】
【特許文献】
【０００３】
【特許文献１】特許第３０４３９６８号公報
【考案の概要】
【考案が解決しようとする課題】
【０００４】
しかしながら前記従来のものは、案内体の移動速度が、左右移動端の反転部位において遅くなることに起因してスプールに対する釣糸の巻き量が左右両端部位において膨大になって巻き姿勢が乱れてしまう、という不具合を是正するため、螺旋ピッチを中間部よりも左右両端部側を大きくなるよう変化したものとし、これによってスプールに対する釣糸の巻き姿勢が均等になるよう配慮したものであって、前述したように案内体の移動速度を遅くした場合の釣糸の糸ガミ現象の発生、逆に移動速度を速くした場合の釣糸の巻き量が短くなってしまうことの解決にはならないものであり、これらに本考案の解決すべき課題がある。
【課題を解決するための手段】
【０００５】
本考案は、上記の如き実情に鑑みこれらの課題を解決することを目的として創作されたものであって、請求項１の考案は、釣竿に取り付けられるリール本体に、回転操作されるハンドルと、該ハンドルの回転操作に連動して回転するスプールと、該スプールと連動して回転し、周面に往復の螺旋溝が形成された螺旋軸と、スプールへの釣糸の巻装を螺旋軸に案内されて左右往復移動することで行う案内体と、が設けられ、釣糸のスプールへの巻装を、ハンドル操作に伴う案内体の往路、復路の繰り返し移動で行うように構成したレベルワインド機構が設けられた釣用リールにおいて、前記螺旋溝の往復の螺旋ピッチを、案内体による往路と複路の釣糸の巻装が粗密逆状態になるよう往路と複路とで大小異ならしめたことを特徴とする釣用リールである。
請求項２の発明は、  往路と複路との螺旋ピッチが大小異なることは、往路全体の螺旋ピッチが復路全体の螺旋ピッチに対して大小異なるものであることを特徴とする請求項１記載の釣用リールである。
請求項３の発明は、螺旋ピッチは往路と複路とでそれぞれ複数の大小変化をするものであり、該複数の大小変化は、往路と複路とで逆の大小変化をするものであることを特徴とする請求項１記載の釣用リールである。
請求項４の発明は、螺旋ピッチの複数の大小変化は偶数の変化であることを特徴とする請求項３記載の釣用リールである。
請求項５の発明は、往路と複路との螺旋ピッチが大小異なることは、往路および復路全体で大小互いに逆になる方向の変化が段階状または連続状に変化するものであることを特徴とする請求項１記載の釣用リールである。
【考案の効果】
【０００６】
請求項１の考案とすることにより、釣糸は、スプールに巻装される場合に、巻装される巻き層ごとに異なった巻装ピッチになって、内外隣接する巻き層の釣糸同士は互いに交差した状態で巻装され、この結果、スプールから繰出される部位の釣糸が、内層側の釣糸の隣接同士間に挿入する所謂糸ガミ現象を生じることが回避され、釣糸１繰出す場合に引っかかってしまうことなくスムーズな釣糸の繰出しができることになる。
請求項２の考案とすることにより、往路復路全体での螺旋ピッチが異なるものであるため、螺旋軸の形成が容易になる。
請求項３の考案とすることにより、螺旋ピッチを往路と複路とでそれぞれ複数の大小変化をする結果、螺旋ピッチを往路全体、複路全体でそれぞれ統一したものとした場合のように、往路と複路とでスプール７に対する糸巻き量が大きく異なることが回避され、釣糸の繰出し量（巻き取り量）の把握が容易になる。
請求項４の考案とすることにより、往路、復路での螺旋ピッチの複数の大小変化が偶数であるため、奇数とした場合に比して往路と複路とでの糸巻き量に出る差を小さいものにできるという利点がある。
請求項５の発明とすることにより、螺旋ピッチの変化が、往路、復路において連続状の変化になる結果、スプールに巻装される釣糸の巻装状態に生じる違和感を低減できることになる。
【図面の簡単な説明】
【０００７】
【図１】両軸の釣用リールの断面図である。
【図２】螺旋軸の正面図である。
【図３】（Ａ）（Ｂ）は往路の螺旋溝の展開図、復路の螺旋溝の展開図である。
【図４】（Ａ）（Ｂ）は第二の実施の形態の往路の螺旋溝の展開図、復路の螺旋溝の展開図である。
【考案を実施するための形態】
【０００８】
以下、本考案を実施するための形態について、図面に基づいて説明する。図面において、１は釣用のリールであって、該リール１は、駆動側、従動側の左右ケーシング２、３および該ケーシング２、３間を連結するための連結部４を備えることで両軸受け型のケーシング本体が構成され、前記連結部４に設けられる脚部５を釣竿に設けた支持部（リールシート（図示せず））に着脱自在に取り付けることでリール１の釣竿に対するセットができるようになっている。
【０００９】
前記左右のケーシング２、３には、スプール軸６の左右両端部が軸受け６ａを介して回転自在に軸支され、該スプール軸６にスプール７が一体回動するよう支持されている。
一方、前記スプール７の前方には、左右ケーシング２、３に左右両端縁部が支持される状態で案内筒８が設けられ、該案内筒８に、本考案が実施された後述するレベルワインド機構Ｌを構成する螺旋軸（ナピア軸、トラバースカム軸）９が軸受け９ａを介して回転自在に軸支されている。そして螺旋軸９の従動側ケーシング３内の端部９ｂは、ギアを用いた動力伝動機構１０を介して前記スプール軸６の従動側ケーシング３内の端部６ｂに連動連結されたものとなっており、これによってスプール７と螺旋軸８とは、スプール軸６の回転に連動して一体回動するよう構成されている。因みに動力伝動機構１０は、スプール軸６の回転に対して変速（減速）する状態で螺旋軸９を回転するようギア比の設定がなされている。
【００１０】
前記案内筒８は、下半部側周面部に開口窓が形成されていて螺旋軸９の周面が露出する（視認できる）ようになっているが、案内筒８の上方には、左右のケーシング２、３の前端部に左右両端部が支持される状態でガイド杆（図示せず）が設けられ、該ガイド杆によりスプール７に巻装される釣糸１２を左右案内するための案内体（ガイド）１３の左右移動をするよう構成されている。
【００１１】
そうして前述したように、スプール７と螺旋軸９とがスプール軸６の回転に連動して回動した場合に、案内体１３が螺旋軸９に設けた螺旋溝９ｃに案内されて左右に往復移動をすることになり、これによって釣糸１２は、案内体１３に案内される状態でスプール７に対する巻き取り、繰り出しが実行されるように構成されている。
そして釣糸１２を案内体１３の案内によってスプール７に巻装する場合に、螺旋軸９に形成される螺旋溝９ｃの螺旋ピッチを、後述するように往路と複路とで異ならしめたものとなっているが、該巻装される釣糸１２は、案内体１３の往路、復路の繰り返し移動によって層状に巻装されるようになっており、このようにして釣糸１２をスプール７に均一状に巻装するため後述するレベルワインド機構Ｌが構成されている。
【００１２】
さらに本実施の形態のリール１において、左右のケーシング２、３の後端部間に、クラッチ機構を構成するためのクラッチ操作具１５が上下方向揺動自在に軸支されており、該クラッチ操作具１５を操作することに連動して後述するハンドル軸１４ａからスプール軸７に至る動力伝動を断ってスプール７をスプール軸６と共にフリー状態にして自由回転するよう構成されているが、斯かるクラッチ機構の具体的構成については従来公知のものが採用されており、これ以上の詳細説明は省略する。
また、駆動側ケーシング２には、キャスティング機構を構成するためのキャスティング操作具１６が設けられるが、該キャスティング操作具１６を回転操作することで前記スプール軸６に回動自在および軸心方向移動自在に設けられる従動ギア１７がスプール軸６の軸心方向に移動し、これによってキャスティング用弾機１６ａの付勢力が変化することになってスプール７の前記自由回転に調節可能な制動を与えるようになっており、斯かるキャスティング機構についても従来公知のものが採用されており、これ以上の詳細説明は省略する。
【００１３】
一方、駆動側ケーシング２側に配されるハンドル１４は、駆動側ケーシング２に軸受け１４ｂを介して回転自在に軸支される前記ハンドル軸１４ａの先端部に一体的に取り付けられるが、該ハンドル軸１４ａには、前記従動ギア１７に噛合した駆動ギア１８が回転自在に設けられている。そしてハンドル軸１４ａにはドラグ機構Ｄが設けられるが、該ドラグ機構Ｄは、スプール７の糸繰出し方向の回転に対して設定される制動負荷（制動力）を与え、スプール７に対して該設定される制動負荷を越えた負荷が釣糸１２側から働いた場合に、スプール７の釣糸１２の繰出し方向への回転を、前記制動負荷に抗した状態で許容するよう構成されたものである。そして本実施の形態のドラグ機構Ｄは、レバー式のドラグ操作具１９を備えて構成され、該ドラグ操作具１９を揺動操作することにより駆動側ケーシング２内に設けた摩擦板式のドラグ機構Ｄの制動負荷の調整がなされる構成になっているが、このドラグ機構Ｄについても従来周知のものであるため、その詳細説明は省略する。
【００１４】
次に、前述したレベルワインド機構Ｌを構成する螺旋軸９に形成される螺旋溝９ｃについて説明する。螺旋軸９は、ハンドル１４を糸巻き方向に回転操作した場合、案内体１３が左右方向に往復移動することになるが、この往復移動について、説明のための便宜上、図２、３において案内体１３の左端から右端への移動を往路、右端から左端への移動を復路とし、往路の螺旋溝９ｃｘの螺旋ピッチ（螺旋溝９が１回転したときの案内体１３の左右方向の移動距離（移動幅））Ｘを長く（大きく）し、復路の螺旋溝９ｃｙの螺旋ピッチＹを短く（小さく）したものに設定（Ｘ＞Ｙ）され、これによって往路の螺旋溝９ｃｘの螺旋ピッチＸが、復路の螺旋溝９ｃｙの螺旋ピッチＹよりも短いものとして、案内体１３が往路を移動する場合の移動速度が、復路を移動する場合の移動速度よりも速くなる結果、釣糸１２は、往路ではスプール軸６の軸心に対して傾斜する側の疎状態で巻装され、復路ではスプール軸６の軸心に対して直交する側の密状態で巻装されるように設定されている。
【００１５】
叙述の如く構成された本実施の形態において、繰出された釣糸１２を巻き取るべくハンドル１４を巻き操作すると、螺旋軸９が回転し、これに伴い案内体１３が螺旋軸９に設けた螺旋溝９ｃに案内されて左右往復移動して釣糸１２をスプール７に巻装していくことになるが、この場合に、螺旋溝９ｃの往復の螺旋ピッチＸ、Ｙについて、往路の螺旋ピッチＸが大きく、復路の螺旋ピッチＹが小さいものに設定されている結果、釣糸１２は、スプール７に対し往路では隣接間隔が荒く、復路では隣接間隔が狭いものとして巻装される巻き層ごとに異なった巻装ピッチになって、内外隣接する巻き層の釣糸１２同士は互いに交差した状態で巻装される。このため釣をしている際に釣糸１２が強く引っ張られたような場合に、スプール７から繰出される部位の釣糸１２が、内層側の釣糸１２の隣接同士間に挿入（侵入）する所謂糸ガミ現象を生じることが回避され、釣糸１２を繰出す場合に引っかかってしまうことを回避し、スムーズな釣糸１２の繰出しができることになる。
【００１６】
尚、前記実施の形態においては、往路と複路との螺旋ピッチＸ、Ｙを大小異ならしめることを、往路全体の螺旋ピッチＸが復路全体の螺旋ピッチＹに対して大小異なるものとしたが、本考案はこれに限定されないものであることは勿論であって、図４に示す第二の実施の形態のように、螺旋ピッチを往路では「大→小」、複路では「小←大」となるようそれぞれ複数の大小逆の変化をするようにしても本考案を実施することができる。
【００１７】
具体的には、往路での螺旋ピッチについて前半を大きい螺旋ピッチＸ、後半を小さい螺旋ピッチＹとし、復路での螺旋ピッチについて前半を大きい螺旋ピッチＸ、後半を小さい螺旋ピッチＹとしたものであり、このようにすることにより、スプール７において同じ巻装位置での釣糸１２の巻装は、大きい螺旋ピッチＸ、小さい螺旋ピッチＹが交互に繰り返されることになって前述したように糸ガミ現象のないものにできる。そしてこのようにしたものでは、前記第一の実施の形態のように螺旋ピッチを往路全体、複路全体でそれぞれ統一したものとした場合のように、往路と複路とでスプール７に対する糸巻き量が大きく異なることが回避され、釣糸１２の繰出し量（巻き取り量）の把握が容易になる。
この点をさらにこのものを改良するものとして、往路、復路での螺旋ピッチの各複数の大小変化は、前記第二の実施の形態では大小二段階とした偶数の変化としているため、例えば「大小大」と「小大小」のように奇数とした場合に比して往路と複路とでの糸巻き量に出る差を小さいものにできるという利点がある。
【００１８】
さらに本考案において往路と複路との螺旋ピッチが大小異なることについて、往路および復路全体において大小互いに逆になる方向の変化をする構成、例えば往路の螺旋ピッチを「大→中→小」、復路の螺旋ピッチを「小←中←大」のように連続して変化するように構成することができ、この場合の螺旋ピッチの変化について、段階状としたもの、さらには連続状としたものとすることもでき、このようにしたときには、大小変化が目立たないものになってスプール７に巻装される同層の釣糸１２の巻装状態に違和感が生じることを低減できることになる。
【産業上の利用可能性】
【００１９】
本考案は、スプールに釣糸を左右往復する状態で巻装するレベルワインド機構を備えた釣用リールとして利用することができる。
【符号の説明】
【００２０】
１  リール
７  スプール
９  螺旋軸
９ｃ  螺旋溝
１２  釣糸
１３  案内体
１４  ハンドル
Ｌ  レベルワインド機構
【図１】
0003234233.tif 000003
【図２】
0003234233.tif 000004
【図３】
0003234233.tif 000005
【図４】
0003234233.tif 000006